(57)【要約】【課題】現像剤収容部内の気体が通過可能な圧抜き開口部に設けられたフィルタ部材に、短い期間で目詰りが生じることを抑制できる現像装置、並びにこの現像装置を備えた画像形成装置、及びプロセスカートリッジを提供する。【解決手段】現像剤を担持し、表面移動して現像領域で感光体の表面上の潜像に現像剤を供給する現像ローラ８と、現像ローラ８に供給する現像剤を収容する循環搬送路Ｖ３内の現像剤に、回転することで搬送力を付与する循環スクリュ１１と、循環搬送路Ｖ３内の空気を装置外部に排出し、現像装置４内の気圧が上昇することを抑制する圧抜き開口部２１と、圧抜き開口部２１から現像剤が排出されることを抑制する圧抜きフィルタ１８と、を備える現像装置４において、循環スクリュ１１が回転することによって跳ね上げられた現像剤が圧抜きフィルタ部材１８に向かう移動経路を塞ぐ遮蔽部材１９を備える。【選択図】図１
2014178661.tif 000002
【特許請求の範囲】
【請求項１】
現像剤を表面上に担持し、表面移動して潜像担持体と対向する現像領域で該潜像担持体の表面上の潜像に現像剤を供給する現像剤担持体と、
該現像剤担持体に供給する現像剤を収容する現像剤収容部内の現像剤に、回転することで搬送力を付与する現像剤搬送部材と、
該現像剤収容部内の気体を装置外部に排出し、該現像剤収容部内の気圧が上昇することを抑制する圧抜き開口部と、
該圧抜き開口部に設けられ、該圧抜き開口部から現像剤が排出されることを抑制するフィルタ部材と、を備える現像装置において、
上記現像剤搬送部材が回転することによって跳ね上げられた現像剤が上記フィルタ部材に向かう移動経路を塞ぐ現像剤移動経路遮蔽部材を備えることを特徴とする現像装置。
【請求項２】
請求項１の現像装置において、
上記現像剤移動経路遮蔽部材は、上記現像剤収容部内の気体がフィルタ部材を設けた上記圧抜き開口部に向かう迂回路を形成することを特徴とする現像装置。
【請求項３】
請求項２の現像装置において、
上記現像剤搬送部材の上方に上記圧抜き開口部を備え、該圧抜き開口部と該現像剤搬送部材との間に上記現像剤移動経路遮蔽部材を備え、
該現像剤搬送部材の回転軸を挟んで該現像剤搬送部材が現像剤を持ち上げる側とは反対側の上方に、上記迂回路を形成することを特徴とする現像装置。
【請求項４】
請求項３の現像装置において、
上記現像剤移動経路遮蔽部材は、上記迂回路側が低くなるように傾斜していることを特徴とする現像装置。
【請求項５】
請求項４の現像装置において、
上記現像剤移動経路遮蔽部材の水平面に対する傾斜角を現像剤の安息角以上に設定することを特徴とする現像装置。
【請求項６】
請求項２乃至５の何れかに記載の現像装置において、
上記現像剤収容部を、内部の現像剤を上記現像剤担持体の表面に供給しつつ、該現像剤担持体の幅方向に沿って搬送する供給搬送路と、
該現像剤担持体に担持され、現像領域を通過した現像剤を現像剤担持体表面から回収しつつ、内部の現像剤を該現像剤担持体の幅方向に沿って搬送する回収搬送路と、
該回収搬送路の搬送方向下流側端部に到達した現像剤を、該供給搬送路の搬送方向上流側端部まで搬送する循環搬送路とに仕切る仕切り部材を備え、
上記回収搬送路は上記供給搬送路よりも低い位置に形成され、該回収搬送路の搬送方向下流側端部の位置から該供給搬送路の搬送方向上流側端部の位置まで現像剤を搬送するように、上記循環搬送路は搬送方向下流側ほど高くなるように傾斜した形状であり、
該循環搬送路の上部に上記フィルタ部材が配置された上記圧抜き開口部を備え、
上記迂回路は、該循環搬送路における搬送方向上流側よりも搬送方向下流側の方が狭いことを特徴とする現像装置。
【請求項７】
請求項１乃至６の何れかに記載の現像装置において、
上記現像剤移動経路遮蔽部材は、上記現像剤収容部内の現像剤の剤面よりも上方に配置されていることを特徴とする現像装置。
【請求項８】
請求項１乃至７の何れかに記載の現像装置において、
上記現像剤収容部を、内部の現像剤を上記現像剤担持体の表面に供給しつつ、該現像剤担持体の幅方向に沿って搬送する供給搬送路と、
該現像剤担持体に担持され、現像領域を通過した現像剤を現像剤担持体表面から回収しつつ、内部の現像剤を該現像剤担持体の幅方向に沿って搬送する回収搬送路と、
該回収搬送路の搬送方向下流側端部に到達した現像剤を、該供給搬送路の搬送方向上流側端部まで搬送する循環搬送路とに仕切る仕切り部材を備え、
該仕切り部材の該回収搬送路と該循環搬送路とを仕切る部分の該回収搬送路と該循環搬送路とに存在する現像剤の剤面よりも高い位置に、該回収搬送路と該循環搬送路とを連通し、気体が通過することができる気体通過開口部を備え、
該循環搬送路における該気体通過開口部の上方に、上記フィルタ部材が配置された上記圧抜き開口部を備え、
上記現像剤移動経路遮蔽部材を該気体通過開口部と該フィルタ部材との間に配置することを特徴とする現像装置。
【請求項９】
請求項８の現像装置において、
上記現像剤移動経路遮蔽部材を上記仕切り部材の上記気体通過開口部が設けられた部分の壁面から突き出すように設けることを特徴とする現像装置。
【請求項１０】
請求項９の現像装置において、
上記現像剤移動経路遮蔽部材は、上記循環搬送路内における現像剤搬送方向下流側ほど突き出し量が減少する形状であることを特徴とする現像装置。
【請求項１１】
請求項８乃至１０の何れかに記載の現像装置において、
上記仕切り部材の上記気体通過開口部を設けた部分の上記循環搬送路側の壁面に、該循環搬送路側の現像剤が該気体通過開口部に進入することを防止する現像剤進入防止部材を備えることを特徴とする現像装置。
【請求項１２】
請求項１１の現像装置において、
上記現像剤進入防止部材は、上記気体通過開口部の上記循環搬送路側を覆い、上方に開口を備えた形状であることを特徴とする現像装置。
【請求項１３】
請求項１１の現像装置において、
上記循環搬送路内の現像剤に搬送力を付与する上記現像剤搬送部材として循環搬送部材を備え、
上記現像剤進入防止部材は、該循環搬送部材を覆う形状であることを特徴とする現像装置。
【請求項１４】
請求項１乃至１３の何れかに記載の現像装置において、
上記現像剤移動経路遮蔽部材の下面に気体を拡散する拡散部材を設けることを特徴とする現像装置。
【請求項１５】
潜像担持体、該潜像担持体を帯電する帯電手段、及び、該潜像担持体をクリーニングするクリーニング手段より選ばれる少なくとも一つと、
該該潜像担持体上に形成された静電潜像を現像してトナー像化するための現像手段とが一体的に支持され、画像形成装置に対して着脱自在なプロセスカートリッジにおいて、
上記現像手段として、請求項１乃至１４の何れかに記載の現像装置を用いたことを特徴とするプロセスカートリッジ。
【請求項１６】
潜像担持体と、該潜像担持体に潜像を形成する潜像形成手段と、該潜像担持体に形成された潜像を現像してトナー像を形成する現像手段と、該潜像担持体に担持されたトナー像を被転写体に転写する転写手段と、を備えた画像形成装置において、
上記現像手段として、請求項１乃至１４の何れかに記載の現像装置を用いたことを特徴とする画像形成装置。
【請求項１７】
請求項１６の画像形成装置において、
上記現像装置を複数備えたことを特徴とする画像形成装置。
【請求項１８】
潜像担持体、該潜像担持体を帯電する帯電手段及び該潜像担持体をクリーニングするクリーニング手段により選ばれる少なくとも一つと、該潜像担持体に形成した潜像を現像してトナー像を形成する現像手段とが一体に支持され、画像形成装置に対して着脱自在なプロセスカートリッジと、該潜像担持体に担持されたトナー像を被転写体に転写する転写手段と、を備えた画像形成装置において、
上記プロセスカートリッジとして、請求項１５のプロセスカートリッジを複数備えたことを特徴とする画像形成装置。
【発明の詳細な説明】
【技術分野】
【０００１】
本発明は、複写機、ファクシミリ、プリンタ等に用いられる現像装置並びにこれを用いたプロセスカートリッジ及び画像形成装置に関するものである。
【背景技術】
【０００２】
従来から、トナーと磁性キャリアとを含む二成分の現像剤を用いた現像装置が広く用いられている。この種の現像装置では、内部に複数の磁極を備え、回転することで表面が無端移動する現像剤担持体を備えたものが広く用いられている（例えば、特許文献１〜４）。このような現像装置では、現像剤担持体の表面上に現像剤を担持し、現像剤担持体が潜像担持体と対向する現像領域で潜像担持体の表面上の潜像に現像剤中のトナーを供給することで潜像担持体上の潜像を現像する。
特許文献１〜４に記載の現像装置では、回転することによって現像剤担持体の回転軸に平行な方向に現像剤を搬送する複数の現像剤搬送部材を備える。そして、現像剤搬送部材を配置した現像剤収容部内で現像剤を循環させつつ、循環する現像剤の一部を現像剤担持体の表面に供給し、現像領域を通過した現像剤は現像剤担持体の表面から現像剤収容部内に回収し、他の現像剤とともに循環させる。
【０００３】
このように現像剤収容部内で現像剤を循環させる現像装置で高速出力に対応するには、現像剤の循環速度を速くする必要があるが、現像剤収容部内の現像剤の循環速度を速くすると、現像剤収容部内の気圧が上昇することがある。現像剤収容部内の気圧が上昇すると、現像領域へ向かう現像剤担持体と現像装置のケーシングとの僅かな隙間や、ケーシング同士の繋ぎ目等の隙間から空気と共にトナーが漏れ出し、トナー飛散に繋がるおそれがある。トナー飛散は、出力画像の汚れや、画像形成装置内の汚染による故障などの不具合の原因となるので、抑える必要がある。
【０００４】
特許文献３及び４には、現像剤収容部内の空気を装置外部に排出する開口部と、この開口部からトナーが排出されることを抑制するフィルタ部材とを備えた構成が記載されている。このような構成であれば、現像剤収容部内の気圧が上昇したときに、空気が開口部から装置外部に排出されるため、現像剤収容部内の気圧が上昇することを抑制できる。これにより、現像剤収容部内の気圧が上昇することに起因するトナー飛散の発生を抑制できる。
【発明の概要】
【発明が解決しようとする課題】
【０００５】
しかしながら、回転する現像剤搬送部材によって跳ね上げられたトナーが、開口部に向かって飛翔し、フィルタ部材に付着することがある。このように現像搬送部材の回転によって跳ね上げられたトナーがフィルタ部材に付着すると、短い期間でフィルタ部材に目詰りが生じてしまい、フィルタ部材を交換するメンテナンスの周期が短くなるという不具合が生じるおそれがある。
このような問題は、トナーとキャリアとからなる二成分の現像剤を用いる現像装置に限るものではない。現像剤担持体に供給する現像剤収容部内の現像剤に対して、回転することで搬送力を付与する現像剤搬送部材を備える現像装置であれば、一成分の現像剤を用いる現像装置であっても生じ得る問題である。
【０００６】
本発明は以上の問題点に鑑みなされたものであり、その目的は、以下のとおりである。すなわち、現像剤収容部内の気体が通過可能な圧抜き開口部に設けられたフィルタ部材に、短い期間で目詰りが生じることを抑制できる現像装置、並びにこの現像装置を備えた画像形成装置、及びプロセスカートリッジを提供することである。
【課題を解決するための手段】
【０００７】
上記目的を達成するために、請求項１の発明は、現像剤を表面上に担持し、表面移動して潜像担持体と対向する現像領域で該潜像担持体の表面上の潜像に現像剤を供給する現像剤担持体と、該現像剤担持体に供給する現像剤を収容する現像剤収容部内の現像剤に、回転することで搬送力を付与する現像剤搬送部材と、該現像剤収容部内の気体を装置外部に排出し、該現像剤収容部内の気圧が上昇することを抑制する圧抜き開口部と、該圧抜き開口部に設けられ、該圧抜き開口部から現像剤が排出されることを抑制するフィルタ部材と、を備える現像装置において、上記現像剤搬送部材が回転することによって跳ね上げられた現像剤が上記フィルタ部材に向かう移動経路を塞ぐ現像剤移動経路遮蔽部材を備えることを特徴とするものである。
【０００８】
本発明においては、回転する現像剤搬送部材によって跳ね上げられた現像剤が、フィルタ部材に向かう移動経路を現像剤移動経路遮蔽部材によって塞ぐことができる。これにより、現像剤搬送部材の回転によって跳ね上げられた現像剤がフィルタ部材に付着することを抑制し、短い期間でフィルタ部材に目詰りが生じることを抑制できる。
【発明の効果】
【０００９】
本発明によれば、現像剤収容部内の気体が通過可能な圧抜き開口部に設けられたフィルタ部材に、短い期間で目詰りが生じることを抑制できるという優れた効果がある。
【図面の簡単な説明】
【００１０】
【図１】実施例１の現像装置の断面図。
【図２】本実施形態に係るプリンタの概略断面図。
【図３】本発明を適用可能な現像装置の一つ目の例の概略構成図、（ａ）は、回転軸に直交する断面の断面図、（ｂ）は、模式的に示す側面図、（ｃ）は、現像剤の循環・搬送の様子を説明するための模式図。
【図４】本発明を適用可能な現像装置の二つ目の例の概略構成図、（ａ）は、長手方向中央部の断面図、（ｂ）は、長手方向手前側端部の断面図、（ｃ）は、長手方向奥側端部の断面図、（ｄ）は、模式的に示す側面図。
【図５】実施例２の現像装置の断面図。
【図６】実施例３の現像装置の断面図、（ａ）は、循環スクリュの回転方向が反時計回り方向である場合の説明図、（ｂ）は、循環スクリュの回転方向が時計回り方向である場合の説明図。
【図７】供給スクリュの現像剤跳ね上げ方向とは逆側に流通路を設けた現像装置の断面説明図。
【図８】実施例１の現像装置の循環搬送路内の現像剤の領域を斜線部で示した説明図。
【図９】実施例４の現像装置の断面図。
【図１０】実施例４の現像装置を模式的に示す側面図。
【図１１】拡散部材を備えた遮蔽部材の説明図、（ａ）は、下面に複数の突起部材を設けた遮蔽部材の説明図、（ｂ）は、下面に複数の板部材を設けた遮蔽部材の説明図。
【図１２】実施例５の現像装置の断面図。
【図１３】実施例６の現像装置の断面図。
【図１４】実施例７の現像装置の断面図。
【図１５】実施例８の現像装置の断面図、（ａ）は、循環搬送路の搬送方向上流側端部近傍の断面図、（ｂ）は、循環搬送路の搬送方向下流側端部近傍の断面図。
【図１６】実施例９の現像装置の断面図、（ａ）は、循環搬送路の搬送方向上流側端部近傍の断面図、（ｂ）は、循環搬送路の搬送方向下流側端部近傍の断面図。
【図１７】攪拌搬送路上部ケーシングを上から見た斜視図。
【図１８】攪拌搬送路上部ケーシングを図１７とは異なる角度の上から見た斜視図。
【図１９】攪拌搬送路上部ケーシングを下から見た斜視図。
【図２０】攪拌搬送路上部ケーシングを図１９とは異なる角度の下から見た斜視図。
【発明を実施するための形態】
【００１１】
以下、図面を参照して本発明の実施形態について説明する。なお、各図において、同一又は相当する部分には同一の符号を付しており、その重複説明は適宜に簡略化ないし省略する。
【００１２】
図２は、本発明の一実施形態に係る画像形成装置としてのカラープリンタ（以下、単にプリンタ５００という）の全体構成を示す概略断面図である。プリンタ５００は、ブラック、シアン、イエロー、マゼンタの各色成分について、それぞれ独立した走査光学系と像担持体とを複数組備えたタンデム方式のプリンタである。また、プリンタ５００は、複数の潜像担持体に形成された各色のトナー像を中間転写体に重ね合わせて転写する多重印刷を行う。そして、中間転写体上の重ね合わせトナー像を記録媒体としての転写紙Ｐに転写することにより、カラー画像を得ることができる。
【００１３】
プリンタ５００は、電子写真方式の画像形成装置であり、互いに異なる色（ブラック、イエロー、マゼンタ、シアン）の可視トナー像を形成する四つのトナー像形成ユニット１００（ｋ，ｙ，ｍ，ｃ）が配置されている。四つのトナー像形成ユニット１００（ｋ，ｙ，ｍ，ｃ）はそれぞれ、像担持体としてのドラム状の感光体１（ｋ，ｙ，ｍ，ｃ）を備えている。感光体１（ｋ，ｙ，ｍ，ｃ）の周囲にはそれぞれ、帯電手段としての帯電器２（ｋ，ｙ，ｍ，ｃ）、露光手段としての走査光学装置３（ｋ，ｙ，ｍ，ｃ）が順に配置されている。さらに、各感光体１（ｋ，ｙ，ｍ，ｃ）の周囲には、それぞれ、現像手段としての現像装置４（ｋ，ｙ，ｍ，ｃ）、転写手段としての転写器５（ｋ，ｙ，ｍ，ｃ）、クリーニング手段としての清掃装置６（ｋ，ｙ，ｍ，ｃ）が順に配置されている。
【００１４】
四つの感光体１（ｋ，ｙ，ｍ，ｃ）はそれぞれ、図２中の矢印Ａ方向に回転駆動する。なお、図２中の符号に付されている添え字ｋ，ｙ，ｍ，ｃはそれぞれブラック、イエロー、マゼンタ、シアンの各色に対応する装置等であることを示している。
また、各色のトナー像形成ユニット１００は、感光体１、現像装置４、転写器５及び清掃装置６を一体的に支持したプロセスカートリッジを構成し、プリンタ５００本体に対して着脱自在となっている。
【００１５】
プリンタ５００は、四つのトナー像形成ユニット１００（ｋ，ｙ，ｍ，ｃ）の図２中の右側に、無端ベルト状の中間転写体である中間転写ベルト７を備える。図２に示すように、中間転写ベルト７は、三つ支持ローラ（１１４、１１５及び１１６）に掛け回されており、この状態で、図２中の時計回り方向（矢印Ｂ方向）に無端移動可能となっている。四つの感光体１（ｋ，ｙ，ｍ，ｃ）と中間転写ベルト７を挟んで対向する位置にはそれぞれ、一次転写装置である転写器５（ｋ，ｙ，ｍ，ｃ）が配置されている。
【００１６】
中間転写ベルト７の下方には、二次転写装置１２２が配置されている。二次転写装置１２２は、無端ベルトである転写搬送ベルト１２４が一対の転写搬送支持ローラ１２３に張架されている。そして、一対の転写搬送支持ローラ１２３の一方が駆動ローラとして回転駆動することにより、転写搬送ベルト１２４は図２中の反時計回り方向に回転駆動する。
また、図２中の右側の転写搬送支持ローラ１２３と二次転写対向ローラ１１６とは、中間転写ベルト７及び転写搬送ベルト１２４を挟んで当接している。この当接による中間転写ベルト７と転写搬送ベルト１２４との接触部分が、中間転写ベルト７上の画像を転写紙Ｐに転写する二次転写ニップとなる。
【００１７】
プリンタ５００の二次転写装置１２２の転写紙Ｐの搬送方向下流側（図２中の左側）には、トナー像を転写紙Ｐ上に定着する定着装置１２５が配置されている。定着装置１２５は、内部に加熱手段である不図示のヒータが設けられた加熱ローラ１２６と、図示しないバネによって加圧されて加熱ローラ１２６と圧接し圧接部であるニップ部を形成する加圧ローラ１２７とを有している。
上述した二次転写装置１２２は、画像転写後の転写紙Ｐをこの定着装置１２５へと搬送するシート搬送機能も備えている。
【００１８】
次に、プリンタ５００を用いたフルカラー画像の形成について説明する。
プリンタ５００で画像を形成するときには、不図示の回転駆動手段でベルト駆動ローラ１１４を回転駆動し、他の二つの支持ローラ（１１５及び１１６）を従動回転させ、中間転写ベルト７を無端移動させる。これと同時に、四つのトナー像形成ユニット１００（ｋ，ｙ，ｍ，ｃ）のそれぞれの感光体１（ｋ，ｙ，ｍ，ｃ）を回転駆動させる。
【００１９】
感光体１（ｋ，ｙ，ｍ，ｃ）はそれぞれ、帯電器２（ｋ，ｙ，ｍ，ｃ）により一様に帯電され、走査光学装置３（ｋ，ｙ，ｍ，ｃ）により像露光が行われ、感光体１（ｋ，ｙ，ｍ，ｃ）上に静電潜像が形成される。この感光体１（ｋ，ｙ，ｍ，ｃ）の静電潜像が現像装置４（ｋ，ｙ，ｍ，ｃ）によって現像されることにより、各色のトナー像が形成される。そして、各感光体１（ｋ，ｙ，ｍ，ｃ）上に形成されたトナー像が転写器５（ｋ，ｙ，ｍ，ｃ）により中間転写ベルト７にそれぞれ重ね合わせて転写されることによって、中間転写ベルト７上に重ね合わせトナー像であるカラー画像が形成される。このカラー画像は、複数の支持ローラに架け渡されて回転駆動されている中間転写ベルト７によって図中矢印Ｂ方向に搬送され、二次転写ニップへと搬送させる。
【００２０】
一方、転写紙Ｐを収容する給紙カセット１４４では、給紙ローラ１４２が回転することで、転写紙Ｐが繰り出され、分離ローラ１４５で一枚ずつ分離され、給紙路１４６に送り込まれる。給紙路１４６に到達した転写紙Ｐを搬送ローラ１４７で搬送し、レジストローラ４９に突き当てて止める。
レジストローラ４９に突き当てて止めた後、中間転写ベルト７上に形成されたカラー画像にタイミングを合わせてレジストローラ４９を回転し、上述した二次転写ニップに向けて転写紙Ｐを送り込む。二次転写ニップにおける二次転写装置１２２側の転写搬送支持ローラ１２３と二次転写対向ローラ１１６との間に形成される転写電界によって中間転写ベルト７上のカラー画像を転写紙Ｐ上に転写し、転写紙Ｐ上にカラー画像を形成する。二次転写ニップを通過した後の中間転写ベルト７上の転写残トナーは、不図示の中間転写体クリーニング装置が除去し、四つのトナー像形成ユニット１００（ｋ，ｙ，ｍ，ｃ）による再度の画像形成に備える。
【００２１】
カラー画像が形成された転写紙Ｐは、二次転写装置１２２により搬送されて、定着装置１２５へと送り込まれる。この定着装置１２５では、加熱ローラ１２６と加圧ローラ１２７とによって形成されるニップ部で、熱と圧力とを付与することによりカラー画像を転写紙Ｐ上に定着する。
定着装置１２５を通過した転写紙Ｐは、排出ローラ対１５６により排出されて排紙トレイ５７上にスタックされる。
【００２２】
次に、現像装置４について説明する。プリンタ５００が備える四つの現像装置４（ｋ，ｙ，ｍ，ｃ）は、使用するトナーの色が異なる点以外は、構成及び動作は各色の現像装置４（ｋ，ｙ，ｍ，ｃ）で同様である。このため、以下の説明、及び、説明に用いる図では、各色を示す添え字ｋ，ｙ，ｍ，ｃを省略して説明する。
【００２３】
図３は、本発明を適用可能な現像装置４の一つ目の例の概略構成図である。図３（ａ）は、ドラム状の感光体１の回転軸に直交する断面における現像装置４の断面図である。図３（ｂ）は、図３（ａ）中のＸ方向から見た現像装置４の内部構成における現像剤搬送部材の位置関係を模式的に示す側面図である。図３（ｃ）は現像装置４内の現像剤の循環・搬送の様子を説明するための模式図である。
【００２４】
現像装置４は、現像剤担持体として現像ローラ８を備え、複数の現像剤搬送部材として、供給スクリュ９と、回収スクリュ１０と、循環スクリュ１１とを備える。
現像ローラ８は、円筒形状を有し図中矢印方向に回転駆動可能な非磁性のスリーブと、そのスリーブ内に固定配置され所定位置にＮ磁極及びＳ磁極を有する磁石部材とを用いて構成されている。
【００２５】
現像装置４は、現像剤規制部材としての規制ブレード１２と、供給搬送路Ｖ１、回収搬送路Ｖ２及び循環搬送路Ｖ３等の現像剤収容部を形成する現像剤収容部材としての現像ケーシング２２とを、更に備えている。規制ブレード１２は、現像ローラ８の上方に対向するように配置され、現像ローラ８に担持され現像領域αに向けて搬送される現像剤の磁気ブラシの高さ（現像剤の量）を規制することで、現像ローラ８上の現像剤量を規制する部材である。また、現像ケーシング２２は、ブラック、シアン、イエロー、マゼンタのいずれかの色のトナーと磁性粒子であるキャリアとを含む二成分現像剤（以下、実施形態において「現像剤」という。）を収容している。現像装置４では、現像ローラ８の外周面の一部が現像領域α側に露出するように、現像ケーシング２２内の感光体１に対向している空間に現像ローラ８が配設されている。
【００２６】
また、現像ケーシング２２内に形成された三つの現像剤搬送路である供給搬送路Ｖ１、回収搬送路Ｖ２及び循環搬送路Ｖ３のそれぞれに、供給スクリュ９、回収スクリュ１０及び循環スクリュ１１が配置されている。
【００２７】
図３中の矢印Ｓ１は、供給スクリュ９が配置された現像剤搬送領域である供給搬送路Ｖ１内での現像剤の搬送方向を示しており、図３中の矢印Ｓ２は、回収スクリュ１０が配置された現像剤搬送領域である回収搬送路Ｖ２内での現像剤の搬送方向を示している。また、図３中の矢印Ｓ３は、循環スクリュ１１が配置された現像剤搬送領域である循環搬送路Ｖ３内での現像剤の搬送方向を示している。
【００２８】
供給スクリュ９が配設されている供給搬送路Ｖ１と回収スクリュ１０が配設されている回収搬送路Ｖ２との間には、二つの現像剤搬送路の間での現像剤の往来を規制する仕切り部材としての供給回収隔壁１５ａが設けられている。また、回収搬送路Ｖ２と循環スクリュ１１が配設されている循環搬送路Ｖ３との間には、二つの現像剤搬送路の間での現像剤の往来を規制する仕切り部材としての回収循環隔壁１５ｂが設けられている。さらに、循環搬送路Ｖ３と供給搬送路Ｖ１との間には、二つの現像剤搬送路の間での現像剤の往来を規制する仕切り部材としての循環供給隔壁１５ｃが設けられている。図３に示す現像装置４では、これらの三つの隔壁（１５ａ、１５ｂ、１５ｃ）は現像ケーシング２２と一体的に形成されている。
現像ローラ８は、供給搬送路Ｖ１から供給された現像剤を表面に担持して、感光体１と対向する現像領域αまで搬送する。
【００２９】
上述した隔壁１５（１５ａ、１５ｂ、１５ｃ）には、供給搬送路Ｖ１と回収搬送路Ｖ２と循環搬送路Ｖ３との間で現像剤を循環搬送するための開口部を有している。例えば図３（ｃ）に示すように、供給搬送路Ｖ１と回収搬送路Ｖ２とを仕切る供給回収隔壁１５ａは、供給スクリュ９による現像剤搬送方向下流側の端部に、供給搬送路Ｖ１から現像剤を排出して回収搬送路Ｖ２に受け渡すための供給下流端開口部Ｎ３を有している。また、回収搬送路Ｖ２と循環搬送路Ｖ３とを仕切る回収循環隔壁１５ｂは、回収スクリュ１０による現像剤搬送方向下流側の端部に、回収搬送路Ｖ２から現像剤を排出して循環搬送路Ｖ３に受け渡すための回収下流端開口部Ｎ１を有している。さらに、循環搬送路Ｖ３と供給搬送路Ｖ１とを仕切る循環供給隔壁１５ｃは、循環スクリュ１１による現像剤搬送方向下流側の端部に、循環搬送路Ｖ３から現像剤を排出して供給搬送路Ｖ１に受け渡すための循環下流端開口部Ｎ２を有している。
【００３０】
図３中の矢印Ｓ４は、供給搬送路Ｖ１の搬送方向下流側端部に到達した現像剤が回収搬送路Ｖ２に受け渡される現像剤の流れを示している。また、図３中の矢印Ｓ５は、回収搬送路Ｖ２の搬送方向下流側端部に到達した現像剤が循環搬送路Ｖ３に受け渡される現像剤の流れを示している。さらに、図３中の矢印Ｓ６は、循環搬送路Ｖ３の搬送方向下流側端部に到達した現像剤が供給搬送路Ｖ１に受け渡される現像剤の流れを示している。
また、循環搬送路Ｖ３の搬送方向上流側端部近傍には、現像装置４内に新たなトナーを補給するトナー補給口Ｎ４が設けられている。
【００３１】
三本の現像剤搬送スクリュ（９、１０、１１）及び現像ローラ８それぞれの回転軸の両端部は、現像ケーシング２２に回転可能に支持されている。そして、図示しない駆動源及び駆動伝達機構などを有する回転駆動手段により、図３（ａ）の矢印方向に回転駆動することができる。
供給スクリュ９は、自身の回転軸である供給回転軸１６に沿って現像剤を攪拌搬送するとともに、現像ローラ８に現像剤を供給する。また、回収スクリュ１０は、自身の回転軸である回収回転軸１７に沿って現像剤を攪拌搬送するとともに、現像ローラ８から現像剤を回収する。さらに、循環スクリュ１１は、自身の回転軸である循環回転軸１３に沿って現像剤を搬送するとともに、トナー補給口Ｎ４から補給されたトナーと既存の現像剤とを攪拌する。
【００３２】
三本の現像剤搬送スクリュ（９、１０、１１）のそれぞれの回転軸（１６、１７、１３）は、感光体１の回転軸心に対して互いに平行に設けられている。また、これら三本の現像剤搬送スクリュ（９、１０、１１）は、鉛直方向の関係では、上方に供給スクリュ９、下方に回収スクリュ１０、供給スクリュ９と回収スクリュ１０とのほぼ中間の高さの位置に循環スクリュ１１が配設された構成となっている。また、これら三本の現像剤搬送スクリュ（９、１０、１１）は、図示しない駆動源からの駆動力によって回転して現像装置４内の現像剤を攪拌搬送する。これにより、現像ケーシング２２内の現像剤は、図３中の矢印Ｓ１、Ｓ２、Ｓ３、Ｓ４、Ｓ５及びＳ６に示すように循環搬送される。
【００３３】
図３（ａ）中の矢印Ｓ７に示すように、供給スクリュ９は、供給搬送路Ｖ１内の現像剤を攪拌搬送しながら現像ローラ８に供給する。図中時計回りに回転する現像ローラ８のスリーブは、供給スクリュ９から供給された現像剤を、内部に配置された磁石部材の磁力により表面に保持して磁気ブラシを形成する。規制ブレード１２は、現像ローラ８上に形成された磁気ブラシの高さを規制し、規制した現像剤を供給搬送路Ｖ１に戻している。そして、供給搬送路Ｖ１内の現像剤の一部は、現像ローラ８によって現像領域αまで搬送されることなく、供給搬送路Ｖ１内の供給スクリュ９による現像剤搬送方向下流側（図中左側）の端部に到達する。供給搬送路Ｖ１内の現像剤搬送方向下流側端部まで攪拌搬送された現像剤は、図３（ｃ）に示すように、滞留により移動して現像剤受け渡し部としての供給下流端開口部Ｎ３から排出され、回収搬送路Ｖ２内の回収スクリュ１０の端部近傍に落下する。
【００３４】
また、現像ローラ８に担持されて現像領域αを通過し、現像によってトナー濃度が低下した現像剤は、現像ローラ８から回収搬送路Ｖ２へと回収される。回収搬送路Ｖ２内の現像剤は、回収スクリュ１０によって攪拌搬送され、回収搬送路Ｖ２内の回収スクリュ１０の現像剤搬送方向下流側（図３（ｃ）中の左側）に向けて搬送される。回収搬送路Ｖ２内の現像剤搬送方向下流側の端部まで搬送された現像剤は、一定量の滞留により回収下流端開口部Ｎ１を通って斜め上方にある循環搬送路Ｖ３に移動する。移動した現像剤はトナー補給口Ｎ４から循環搬送路Ｖ３内に補給されたトナーとともに循環スクリュ１１の攪拌搬送によって、搬送方向下流側（図３（ｃ）中の右側）に向けて搬送される。循環搬送路Ｖ３内での循環スクリュ１１による現像剤の攪拌搬送は、感光体が潜像を形成する画像領域の幅において、他のスクリュの攪拌搬送している現像剤と混じらないように設けた隔壁１５で遮断された状態で行われる。
【００３５】
図４は、本発明を適用可能な現像装置４の二つ目の例の概略構成図である。図４（ａ）は、ドラム状の感光体１の回転軸に直交する断面で、現像装置４の長手方向中央部における現像装置４の断面図である。図４（ｂ）は、回転軸に直交する断面で、現像装置４の長手方向手前側端部における現像装置４の断面図であり、図４（ｃ）は、回転軸に直交する断面で、現像装置４の長手方向奥側端部における現像装置４の断面図である。図４（ｄ）は、図４（ａ）中のＸ方向から見た現像装置４の内部構成における現像剤搬送部材の位置関係を模式的に示す側面図である。なお、図４（ａ）〜（ｄ）において、図３と同様な部分については同じ符号を付し、説明を省略する。
【００３６】
図４に示す現像装置４では、循環スクリュ１１の搬送方向における上流側の循環回転軸１３の端部である循環回転軸上流端部１３Ａよりも、下流側の循環回転軸１３の端部である循環回転軸下流端部１３Ｂの方が高い位置となる配置である。また、循環スクリュ１１が配置された循環搬送路Ｖ３は、他の現像剤搬送路である供給搬送路Ｖ１及び回収搬送路Ｖ２内の現像剤が混じらないように、隔壁１５により遮断され、循環スクリュ１１により現像剤の攪拌搬送を行う。
【００３７】
現像領域αでの現像に用いられてトナー濃度が低下した現像剤は、回収搬送路Ｖ２内に回収され、回収スクリュ１０の攪拌搬送によって、回収搬送路Ｖ２内の現像剤搬送方向下流側に向けて搬送される。回収搬送路Ｖ２内の現像剤搬送方向下流側の端部に搬送された現像剤は、その下流側端部での滞留によって、回収下流端開口部Ｎ１を通り、側方にある循環搬送路Ｖ３に移動する。このとき、図４（ｃ）中の矢印Ｓ５で示すように、回収下流端開口部Ｎ１を通った現像剤は、循環回転軸上流端部１３Ａが位置する循環搬送路Ｖ３の上流側端部に供給される。
【００３８】
循環搬送路Ｖ３の上流側端部に供給された現像剤は、トナー補給口Ｎ４から補給されたトナーとともに、循環スクリュ１１によって攪拌搬送され、循環搬送路Ｖ３内の現像剤搬送方向下流側に向けて搬送される。この循環スクリュ１１による搬送は、他の現像剤搬送スクリュである供給スクリュ９や回収スクリュ１０が攪拌搬送している現像剤と混じらないように隔壁１５で遮断された状態で行われる。そして、循環回転軸下流端部１３Ｂが位置する循環搬送路Ｖ３の上流側端部に到達した現像剤は、図４（ｂ）中の矢印Ｓ６で示すように、その位置での滞留によって循環下流端開口部Ｎ２を通り、側方にある供給搬送路Ｖ１内の現像剤搬送方向上流側端部に移動する。供給搬送路Ｖ１内に移動した現像剤は、供給スクリュ９に攪拌搬送されつつ、その一部が現像ローラ８に供給される。
【００３９】
次に、本実施形態の現像装置４の特徴部について説明する。
〔実施例１〕
図１は、本発明の特徴部を備えた現像装置４の一つ目の例（以下、実施例１と呼ぶ）の断面図である。実施例１の現像装置４は、現像ケーシング２２の循環搬送路Ｖ３を形成する部分の循環スクリュ１１の上方に圧抜き開口部２１を設け、この圧抜き開口部２１を圧抜きフィルタ１８を配置した構成である。そして、循環スクリュ１１から圧抜きフィルタ１８への直線的な現像剤の移動経路を塞ぐ板状の遮蔽部材１９を備える。遮蔽部材１９は、その自由端と現像ケーシング２２の内壁面の一部との間に隙間を設け、循環搬送路Ｖ３内の空気が圧抜きフィルタ１８を配置された圧抜き開口部２１に向かう迂回路である流通路２０を形成する。
【００４０】
現像装置４では、回転する循環スクリュ１１によって跳ね飛ばされて飛翔した現像剤が、圧抜き圧抜きフィルタ１８に向かっても、その直線的な移動経路を現像剤移動経路遮蔽部材である遮蔽部材１９によって塞ぐことができる。これにより、循環スクリュ１１の回転によって跳ね飛ばされた現像剤が圧抜きフィルタ１８に付着することを抑制し、短い期間で圧抜きフィルタ１８に目詰りが生じることを抑制できる。また、遮蔽部材１９が形成する流通路２０によって、循環搬送路Ｖ３を含む現像剤収容部内の空気を圧抜き開口部２１から外部に排出することができる。これにより、現像剤収容部内の気圧が上昇することを抑制してトナー飛散の発生を抑制するという圧抜き開口部２１の機能を維持できる。
実施例１の現像装置４では、現像剤収容部内の空気が通過可能な圧抜き開口部２１に設けられた圧抜きフィルタ１８に、短い期間で目詰りが生じることを抑制できる。
【００４１】
ここで、従来の現像装置について説明する。
従来二成分現像方式による現像装置としては、水平に配置した二本乃至三本の現像剤搬送スクリュを並べ、そのうちの一本と現像ローラとを対向させ、現像ローラとスクリュ（供給スクリュ）との間で現像剤の供給と回収とを同時に進行させる方法が一般的であった。また、特許文献１及び特許文献２には、上下に二つのスクリュを配置し、現像ローラに対する現像剤の供給と回収とを別々に行うべく、断面構成上で現像剤を一方向に循環搬送させる方式が提案されている。このような方式の現像装置は、カラー化の進展に伴う連続的な高濃度画像の出力やハーフトーンの性能向上への要望を実現できる構成である。
【００４２】
高速出力可能な画像形成装置に搭載される現像装置は、高画質・高耐久性が求められる。高画質を実現するためには、特許文献１や特許文献２に記載の現像装置のように一方向循環の現像装置を採用するのは有力である。
一方、高耐久性を実現するためには、現像装置からのトナー飛散が課題となる。高速出力に対応するためには、現像装置内の現像剤の循環速度を上げる必要がある。現像剤の循環速度を上げると、現像装置内の気圧が上昇し、現像装置外にトナーとともに空気が漏れ出し、トナー飛散に繋がる。トナー飛散は、出力画像の汚れや、画像形成装置内の汚染による故障などの不具合の原因となるので、抑える必要がある。
【００４３】
特許文献３及び４には、現像装置内の圧力を抜くための開口部と、その開口部からトナーが漏れ出ることを防止するフィルタ部材とを備えた構成が記載されている。このような開口部とフィルタ部材とを設けた構成は、現像装置内の圧力を抜く構成としては有効な構成である。しかし、現像装置内の圧力が高いほど、短期間でフィルタ部材に付着するトナーが多くなり、フィルタ部材の目詰まりが早くなってしまう。その結果、短い周期でフィルタ交換する必要があり、高速出力、かつ高耐久な現像装置を実現するのが困難であった。
【００４４】
図１に示す現像装置４では、循環搬送路Ｖ３内の現像剤は、トナーとキャリアとを攪拌混合されながら長手方向に運ばれる。その際、循環スクリュ１１の回転とともに現像剤は跳ね上げられる。跳ね上げられた現像剤が圧抜きフィルタ１８に触れると、圧抜きフィルタ１８にトナーが付着し、圧抜きフィルタ１８が目詰まりしやすくなる。圧抜きフィルタ１８が目詰まりすると、現像ユニット内の圧力低減効果がなくなり、トナー飛散が発生してしまう。
これに対して、図１に示す実施例１の現像装置４では、循環スクリュ１１と圧抜きフィルタ１８との間に、圧抜きフィルタ１８を覆う遮蔽部材１９を設けることで、循環スクリュ１１によって跳ね上げられた現像剤が圧抜きフィルタ１８に触れることを抑制できる。同時に、空気が通過可能な流通路２０を設けるため、現像装置４内の圧抜きも可能となる。その結果、圧抜きフィルタ１８の寿命を延ばすことができる。
【００４５】
圧抜きフィルタ１８が配置された圧抜き開口部２１としては、現像装置４の長手方向全域に形成されていることが望ましい。これにより、より確実に現像装置４内の圧力の低減を図ることができる。圧抜きフィルタ１８が配置された圧抜き開口部２１の配置としては、現像装置４の長手方向の一部に設ける構成としてもよい。この場合、少なくとも圧抜き開口部２１を設けた位置の下方に遮蔽部材１９を配置することで、現像装置４内の圧抜きを行う構成での圧抜きフィルタ１８の寿命を延ばすことができる。
【００４６】
実施例１の現像装置４のように、圧抜きフィルタ１８と循環スクリュ１１との間に遮蔽部材１９を設けることで、安価な手段にて、トナー飛散を抑えた高耐久な現像装置を実現できる。
このような現像装置４を備えたプリンタ５００は長期に渡って安定した画像形成を行うことができる。また、このような現像装置４を複数備えるプリンタ５００は、長期に渡って安定したカラー画像の画像形成を行うことができる。
【００４７】
なお、現像装置４の長手方向の一部に圧抜き開口部２１を設ける構成の場合、少なくとも循環搬送路Ｖ３における現像剤搬送方向上流側端部の上方の現像ケーシング２２に圧抜き開口部２１を設けることが望ましい。循環搬送路Ｖ３における現像剤搬送方向上流側端部には、供給搬送路Ｖ１や回収搬送路Ｖ２を通過した現像剤の受け渡し口である回収下流端開口部Ｎ１が設けられており、このため、現像剤とともに多くの空気が取り込まれる。このように、多くの空気が取り込まれる位置の上方に圧抜き開口部２１を設けることで現像装置４内の圧力の高まりをより効率的に防止できる。
また、図４を用いて説明した現像装置４のように、循環スクリュ１１が循環搬送路Ｖ３内の現像剤を斜め上方に搬送する構成の場合、循環搬送路Ｖ３の上流側ほど現像剤の上方にスペースがあり飛翔する現像剤の影響を受け難くなる。
【００４８】
圧抜きフィルタ１８が配置された圧抜き開口部２１を現像装置４の長手方向の全域に設けた構成で、長手方向の一部にのみ遮蔽部材１９を配置する構成もあり得る。このような構成の場合、少なくとも遮蔽部材１９を設けた部分の圧抜きフィルタ１８については、循環スクリュ１１の跳ね上げに起因する目詰りを防止することができる。
【００４９】
本実施形態の現像装置４では、現像剤として平均粒径が３５［μｍ］のキャリアと、平均粒径が５．８［μｍ］のトナーとから成る二成分現像剤を使用した。そして、このような現像剤に対して、日本バイリーン株式会社製の「ＦＭ‐６５Ｆ」を圧抜きフィルタ１８として使用している。
【００５０】
〔実施例２〕
図５は、本発明の特徴部を備えた現像装置４の二つ目の例（以下、実施例２と呼ぶ）の断面図である。実施例２の現像装置４は、現像ケーシング２２の供給搬送路Ｖ１を形成する部分の供給スクリュ９の上方に、圧抜きフィルタ１８を配置した圧抜き開口部２１を設け、圧抜きフィルタ１８と供給スクリュ９との間に、遮蔽部材１９を設けた構成である。図５に示す現像装置４では、遮蔽部材１９の自由端と現像ケーシング２２の内壁面の一部との間に隙間を設け、流通路２０を形成している。このような構成を備えるため、図１を用いて説明した現像装置４と同様に、現像剤収容部内の気圧が上昇することを抑制してトナー飛散の発生を抑制しつつ、短い期間で圧抜きフィルタ１８に目詰りが生じることを抑制できる。
【００５１】
〔実施例３〕
図６は、本発明の特徴部を備えた現像装置４の三つ目の例（以下、実施例３と呼ぶ）の断面図である。実施例３の現像装置４は、循環スクリュ１１の回転軸である循環回転軸１３を挟んで循環スクリュ１１が現像剤を持ち上げる側とは反対側の上方に、迂回路である流通路２０を形成する構成である。図６（ａ）は、循環スクリュ１１の回転方向が図６中の反時計回り方向である場合の説明図であり、図６（ｂ）は、循環スクリュ１１の回転方向が図６中の時計回り方向である場合の説明図である。図６に示す現像装置４は、現像剤搬送部材である循環スクリュ１１の上方に圧抜きフィルタ１８が配置された圧抜き開口部２１を備え、圧抜き開口部２１と循環スクリュ１１との間に遮蔽部材１９を備える。
【００５２】
循環搬送路Ｖ３では、循環スクリュ１１の回転によって、現像剤は長手方向に搬送されると同時に、回転方向に沿って跳ね上げられる。図６では、循環スクリュ１１の現像剤跳ね上げ方向を白抜きの矢印Ｓ８で示している。図６（ａ）及び（ｂ）に示す現像装置４は、何れも循環スクリュ１１の現像剤跳ね上げ方向とは逆側に流通路２０を設けている。このように、現像剤跳ね上げ方向に対して逆側に流通路２０を設けることで、現像剤が圧抜きフィルタ１８に触れることを効果的に防止できる。
【００５３】
図７は、供給スクリュ９の現像剤跳ね上げ方向とは逆側に流通路２０を設けた現像装置４の断面説明図である。供給搬送路Ｖ１の上方に遮蔽部材１９を設ける構成であっても、図７に示すように、現像剤跳ね上げ方向とは逆側に流通路２０を設けることで、図６に示す実施例３の現像装置４と同様に現像剤が圧抜きフィルタ１８に触れるのを効果的に防止できる。
【００５４】
また、図６（ａ）及び（ｂ）に示す実施例３の現像装置４は、何れも遮蔽部材１９を流通路２０側が低くなるように傾斜させている。遮蔽部材１９が水平の場合や流通路２０側が高くなるように傾斜している場合は、流通路２０を通過して、遮蔽部材１９の上方に到達した現像剤が遮蔽部材１９の上面に堆積してしまう。遮蔽部材１９の上面に現像剤が堆積すると、堆積した現像剤が圧抜きフィルタ１８に接触するおそれがあり、目詰りが生じ易くなる。一方、図６に示す現像装置４のように、遮蔽部材１９を流通路２０側が低くなるように傾斜させることで、遮蔽部材１９の上方に到達した現像剤は、傾斜した遮蔽部材１９の上面を滑り落ち、流通路２０を通じて循環スクリュ１１によって搬送される領域に戻る。これにより、遮蔽部材１９の上面に現像剤が堆積することに起因して圧抜きフィルタ１８に目詰りが生じることを抑制できる。
【００５５】
図８は、図１を用いて説明した実施例１の現像装置４の循環搬送路Ｖ３内の現像剤のイメージを斜線で囲まれた領域で示したものである。図８に示すように、遮蔽部材１９は循環搬送路Ｖ３内の現像剤Ｇの剤面Ｆよりも上方に配置されていることが望ましい。
現像剤Ｇの剤面Ｆよりも下方に遮蔽部材１９があると、流通路２０が現像剤Ｇで埋まり、圧抜きフィルタ１８が配置された圧抜き開口部２１の圧抜き効果が低下する。現像剤Ｇの剤面Ｆよりも上方に遮蔽部材１９を設けることで、流通路２０が現像剤Ｇで埋まることなく、圧抜き開口部２１での圧抜き効果を十分に機能させることができる。
【００５６】
〔実施例４〕
図９は、本発明の特徴部を備えた現像装置４の四つ目の例（以下、実施例４と呼ぶ）の断面図であり、図１０は、図９中のＸ方向から見た実施例４の現像装置４の内部構成における現像剤搬送部材の位置関係を模式的に示す側面図である。なお、後述する気体通過開口部２３と遮蔽部材１９とについては、図１０では、上方から見た形状を示している。実施例４の現像装置４は、回収循環隔壁１５ｂに気体通過開口部２３を設けた点で実施例１の現像装置４と異なる。
【００５７】
実施例４の現像装置４では、供給スクリュ９が現像剤を攪拌搬送する供給搬送路Ｖ１から現像ローラ８に供給され、現像領域αを通過した現像剤は、回収搬送路Ｖ２に回収されて回収スクリュ１０によって攪拌搬送される。回収搬送路Ｖ２に回収された現像剤は、回収搬送路Ｖ２内の現像剤搬送方向下流側端部において、現像領域αに搬送されずに供給搬送路Ｖ１内の現像剤搬送方向下流側に到達した現像剤と合流し、共に循環搬送路Ｖ３へと供給される。循環搬送路Ｖ３内の現像剤は循環スクリュ１１によって攪拌搬送され、循環搬送路Ｖ３内の現像剤搬送方向下流側端部で供給搬送路Ｖ１へと受け渡される。このような現像剤の流れによって、現像装置４内を現像剤が循環する。
【００５８】
回収搬送路Ｖ２では、現像ローラ８の回転によって現像領域αを通過した現像剤と共に、外部の空気が現像装置４内に流入する。現像装置４内に流入した空気は、回収スクリュ１０の回転によって発生した、現像剤搬送方向の気流と合流する。これらの空気は全て回収搬送路Ｖ２の現像剤搬送方向の下流側に向けて流れるため、回収搬送路Ｖ２の現像剤搬送方向下流側端部近傍は気圧が高くなり易い。回収搬送路Ｖ２の現像剤搬送方向下流側端部近傍で気圧が高くなると、現像ローラ８と対向する現像ケーシング２２の隙間から現像装置４の外へ向かう気流が発生するおそれがある。このような気流が発生すると、気流によって空気と共にトナーが現像装置４の外へ流出し、トナー飛散してしまうおそれがある。
【００５９】
このような問題に対して、気体通過開口部２３のように、複数の現像剤搬送路間を途中で連通させて現像剤収容部内の圧力バランスを確保する構成は、一部の現像剤搬送路内での気圧の上昇を抑制し、トナー飛散を抑制するためには有効である。すなわち、回収搬送路Ｖ２の現像剤搬送方向下流側端部近傍の回収循環隔壁１５ｂに、循環搬送路Ｖ３との間を連通する気体通過開口部２３を設け、回収搬送路Ｖ２内の空気を循環搬送路Ｖ３に逃がすことは有効である。
さらに、循環搬送路Ｖ３の上方の現像ケーシング２２に圧抜きフィルタ１８が配置された圧抜き開口部２１を設けることで、現像装置４内の全体の圧力を低減でき、トナー飛散を抑制できる。
【００６０】
しかし、気体通過開口部２３からは勢い良く空気が循環搬送路Ｖ３に流入することがあり、この流入した空気とともに現像剤が圧抜きフィルタ１８に向かってしまうことがある。現像剤が圧抜きフィルタ１８に触れると、圧抜きフィルタ１８に現像剤が付着し、圧抜きフィルタ１８が目詰まりし易くなる。圧抜きフィルタ１８が目詰まりすると、現像装置４内の圧力低減効果がなくなり、トナー飛散してしまう。
【００６１】
一方、実施例４の現像装置４は、図９及び図１０に示すように、気体通過開口部２３と圧抜きフィルタ１８との間に遮蔽部材１９を設けている。これにより、気体通過開口部２３から循環搬送路Ｖ３に流入した空気とこの空気の気流に乗った現像剤が圧抜きフィルタ１８に接触することを抑制できる。よって、現像装置４内の圧力バランスを維持しつつ、圧抜きフィルタ１８の寿命を延ばすことができる。
【００６２】
図９及び図１０に示すように、実施例４の現像装置４は、遮蔽部材１９を仕切り部材である回収循環隔壁１５ｂの気体通過開口部２３が設けられた部分の壁面から突き出すように設けている。遮蔽部材１９を気体通過開口部２３側から突き出すことで、気体通過開口部２３から流入した空気及び現像剤が遮蔽部材１９に当たらずに、直接に圧抜きフィルタ１８に向かうことを防止でき、圧抜きフィルタ１８の目詰まりを抑えることができる。
【００６３】
図１０に示すように、実施例４の現像装置４では、遮蔽部材１９は、循環搬送路Ｖ３内における現像剤搬送方向下流側ほど突き出し量が減少する形状である。詳しくは、循環搬送路Ｖ３の現像剤搬送方向の上流側の遮蔽部材１９の突き出し量（Ｌ１）が、下流側の遮蔽部材１９の突き出し量（Ｌ２）に対して長くなる形状である。
【００６４】
循環搬送路Ｖ３の現像剤搬送方向上流側ほど、すなわち、回収搬送路Ｖ２の現像剤搬送方向下流側ほど、気体通過開口部２３から空気が勢い良く循環搬送路Ｖ３に流入する。回収循環隔壁１５ｂからの遮蔽部材１９の突き出し量が大きいほど、気体通過開口部２３から流入した空気及び現像剤が圧抜きフィルタ１８に触れることを抑制できる。しかし、遮蔽部材１９の突き出し量が大きいほど圧抜きフィルタ１８へ向かう空気が通過する流通路２０が狭くなり、流通路２０が狭くなり過ぎると、現像装置４内の圧力を抜くための圧抜きフィルタ１８の効果が下がってしまう。
【００６５】
一方、実施例４の現像装置４のような遮蔽部材１９の形状とすることで、気体通過開口部２３から流入した空気及び現像剤が圧抜きフィルタ１８に触れることを抑制すると共に、圧抜きフィルタ１８の圧力を抜く効果が下がることを抑制できる。
【００６６】
実施例４の現像装置４では、遮蔽部材１９の下面に空気を拡散する拡散部材を設けても良い。
図１１は拡散部材を備えた遮蔽部材１９の説明図である。図１１（ａ）は、遮蔽部材１９の下面に複数の突起部材２４を設けた構成であり、図１１（ｂ）は、遮蔽部材１９の下面に複数の板部材２５を設けた構成である。遮蔽部材１９の下面に突起部材２４や板部材２５を設けることで、衝突した空気が拡散される。これにより、気体通過開口部２３から勢いよく流入した空気が遮蔽部材１９の下面に衝突したときに、勢いを弱めることができる。流入する空気の勢いを弱めることで、現像剤が圧抜きフィルタ１８に触れるのを抑制できるので、圧抜きフィルタ１８の目詰まりを抑えることができる。
【００６７】
〔実施例５〕
図１２は、本発明の特徴部を備えた現像装置４の五つ目の例（以下、実施例５と呼ぶ）の断面図である。実施例５の現像装置４は、気体通過開口部２３を設けた回収循環隔壁１５ｂの循環搬送路Ｖ３側の壁面に、現像剤が気体通過開口部２３に進入することを防止する現像剤進入防止部材２６を設けた点で実施例４の現像装置４と異なる。
【００６８】
実施例４の現像装置４のように、気体通過開口部２３を備えた構成では、気体通過開口部２３を介して、空気とともに、現像剤搬送スクリュの回転によって跳ね上げられた現像剤も循環搬送路Ｖ３と回収搬送路Ｖ２との間を往来できる。循環搬送路Ｖ３内の現像剤が気体通過開口部２３を通って回収搬送路Ｖ２に移動すると、回収搬送路Ｖ２内の現像剤搬送方向下流側での現像剤量が多くなる。回収搬送路Ｖ２内の現像剤量が多いと、現像領域αを通過した現像剤が現像ローラ８の表面から分離できず、連れ回りが発生するおそれがある。連れ回りが発生すると、現像領域αを通過してトナー濃度が低下した現像剤がトナーを供給されない状態で再び現像領域αに運ばれてしまい、画像濃度ムラが発生してしまう。
【００６９】
一方、実施例５の現像装置４は、現像剤進入防止部材２６によって、循環搬送路Ｖ３内で循環スクリュ１１の回転によって跳ね上げられた現像剤が、気体通過開口部２３を通じて回収搬送路Ｖ２へと移動することを防止できる。その結果、安価な手段にて、トナー飛散を防止した高耐久、かつ、画像濃度ムラの無い高画質な現像装置を実現できる。
【００７０】
〔実施例６〕
図１３は、本発明の特徴部を備えた現像装置４の六つ目の例（以下、実施例６と呼ぶ）の断面図である。実施例６の現像装置４は、現像剤進入防止部材２６が、気体通過開口部２３の循環搬送路Ｖ３側を覆い、上方に開口を備えた煙突形状である点で実施例５の現像装置４と異なる。
図１３に示すように、気体通過開口部２３を覆うような煙突形状の現像剤進入防止部材２６を備えることで、循環スクリュ１１の回転によって跳ね上げられた現像剤と、軸方向に移動する現像剤とが気体通過開口部２３に到達することを防止することができる。これにより、循環搬送路Ｖ３内の現像剤が気体通過開口部２３を通って回収搬送路Ｖ２に移動することを防止できる。
【００７１】
〔実施例７〕
図１４は、本発明の特徴部を備えた現像装置４の七つ目の例（以下、実施例７と呼ぶ）の断面図である。実施例７の現像装置４は、現像剤進入防止部材２６が、循環スクリュ１１を覆う形状である点で実施例５の現像装置４と異なる。
実施例７の現像装置４は、現像剤進入防止部材２６によって、循環スクリュ１１を覆うことで、循環スクリュ１１によって跳ね上げられた現像剤が気体通過開口部２３を通って回収搬送路Ｖ２に移動することを防止できる。
なお、実施例７のように、現像剤進入防止部材２６によって循環スクリュ１１を覆う構成の場合、現像装置４の長手方向において、気体通過開口部２３を設けた位置のみ、または、その近傍のみに現像剤進入防止部材２６を配置することが好ましい。
【００７２】
〔実施例８〕
図１５は、本発明の特徴部を備えた現像装置４の八つ目の例（以下、実施例８と呼ぶ）の説明図である。図１５（ａ）は、循環搬送路Ｖ３の搬送方向上流側端部近傍の現像装置４の断面図であり、図１５（ｂ）は、循環搬送路Ｖ３の搬送方向下流側端部近傍の現像装置４の断面図である。
実施例８の現像装置４は、図４に示す現像装置４のように、循環回転軸１３の循環スクリュ１１の搬送方向における上流側の端部である循環回転軸上流端部１３Ａよりも、下流側の端部である循環回転軸下流端部１３Ｂの方が高い位置となる配置である。すなわち、循環回転軸上流端部１３Ａよりも循環回転軸下流端部１３Ｂの方が高い位置となるように、循環スクリュ１１が傾斜している。そして、循環搬送路Ｖ３の底面も循環スクリュ１１の搬送方向下流側ほど高くなるように傾斜している。一方、循環搬送路Ｖ３の天井部は循環スクリュ１１の搬送方向の上流側から下流側にかけて同じ高さとなっている。
【００７３】
実施例８の現像装置４は、循環搬送路Ｖ３に設けられた流通路２０の幅が、循環搬送路Ｖ３内の現像剤の循環スクリュ１１による搬送方向下流側ほど狭くなっている点で実施例１の現像装置４と異なる。
実施例１の現像装置４では、循環スクリュ１１と圧抜きフィルタ１８との間に、圧抜きフィルタ１８を覆う遮蔽部材１９を設けることで、循環スクリュ１１によって跳ね上げられた現像剤が圧抜きフィルタ１８に触れることを抑制できる。同時に、空気が通過可能な流通路２０を設けるため、現像装置４内の圧抜きも可能となる。その結果、圧抜きフィルタ１８の寿命を延ばすことができる。
【００７４】
圧抜きフィルタ１８による圧抜き効果を高めるために、圧抜き開口部２１及び圧抜きフィルタ１８の設置面積を大きくすることが有効である。しかし、実施例８のように、循環スクリュ１１及び循環搬送路Ｖ３の底部が斜めに傾斜している場合、レイアウト上の制約となる場合がある。なお、循環スクリュ１１及び循環搬送路Ｖ３の底部を斜めに傾斜させることで、回収搬送路Ｖ２から循環搬送路Ｖ３への現像剤の受け渡しと、循環搬送路Ｖ３から供給搬送路Ｖ１への現像剤の受け渡しと、円滑に行うことができる。
【００７５】
循環搬送路Ｖ３に圧抜きフィルタ１８と遮蔽部材１９とを設ける循環スクリュ１１の上方にある程度の空間が必要となる。循環スクリュ１１に対する圧抜きフィルタ１８の高さ方向の距離が離れる程、圧抜きフィルタ１８と現像剤との接触機会を減らすことができる。実施例８のように、循環スクリュ１１及び循環搬送路Ｖ３の底部が傾斜している構成では、循環搬送路Ｖ３における循環スクリュ１１の搬送方向上流側では高さ方向の距離を十分に確保できる。しかし、循環搬送路Ｖ３における循環スクリュ１１の搬送方向下流側にいくにつれて、循環スクリュ１１の位置が高くなる。このような構成で、循環搬送路Ｖ３における循環スクリュ１１の搬送方向の全域で、循環スクリュ１１と圧抜きフィルタ１８との位置関係が上流側と同じ位置関係となるように圧抜きフィルタ１８と遮蔽部材１９とを設けようとすると、両者も傾斜させる必要がある。これらを傾斜させるためには、循環搬送路Ｖ３の天井部を形成する現像ケーシング２２も傾斜させる必要があり、必要となる現像装置４の断面が大きくなり、現像装置４や現像装置４を設置するプリンタ５００の大型化に繋がる。
【００７６】
一方、圧抜きフィルタ１８と遮蔽部材１９との高さを一定、もしくは循環スクリュ１１や循環搬送路Ｖ３の傾斜よりも小さい傾斜となるように設置する場合、搬送方向下流側での循環スクリュ１１と圧抜きフィルタ１８との高さ方向の距離が近くなる。この高さ方向の距離が近くなると、循環スクリュ１１に跳ね上げられた現像剤が流通路２０を通過して圧抜きフィルタ１８に接触し易くなり、圧抜きフィルタ１８に目詰まりが発生し、現像装置４からのトナー飛散が発生し易くなる。
【００７７】
図１５では、循環搬送路Ｖ３の搬送方向上流側端部近傍の流通路２０を上流側流通路２０ａとし、循環搬送路Ｖ３の搬送方向下流側端部近傍の流通路２０を下流側流通路２０ｂとしている。
上述したように実施例８の現像装置４では、循環搬送路Ｖ３に設けられた流通路２０の幅が、循環搬送路Ｖ３内の現像剤の循環スクリュ１１による搬送方向下流側ほど狭くなっている。このため、図１５に示すように、下流側流通路２０ｂは上流側流通路２０ａよりも狭くなっている。
【００７８】
このように流通路２０の幅を下流側ほど狭く設定することで、循環搬送路Ｖ３内における循環スクリュ１１の搬送方向下流側で、圧抜きフィルタ１８と循環スクリュ１１との高さ方向の距離が近くなっても、跳ね上げられた現像剤が流通路２０を通過し難くなる。このため、圧抜きフィルタ１８への現像剤の接触を抑制できる。これにより、搬送方向下流側での循環スクリュ１１と圧抜きフィルタ１８との高さ方向の距離が近くなる構成であっても、圧抜きフィルタ１８の寿命を延ばすことができる。このような実施例８の現像装置４では、省スペースにて、トナー飛散を防止した高耐久な現像装置を実現できる。
【００７９】
〔実施例９〕
図１６は、本発明の特徴部を備えた現像装置４の九つ目の例（以下、実施例９と呼ぶ）の説明図である。図１６（ａ）は、循環搬送路Ｖ３の搬送方向上流側端部近傍の現像装置４の断面図であり、図１６（ｂ）は、循環搬送路Ｖ３の搬送方向下流側端部近傍の現像装置４の断面図である。
【００８０】
実施例９の現像装置４は、遮蔽部材１９が傾斜している点と補助遮蔽部材１９０を備えている点とで実施例８の現像装置４と異なる。実施例９の現像装置４は実施例８と同様に、循環回転軸上流端部１３Ａよりも、循環回転軸下流端部１３Ｂの方が高い位置となるように循環スクリュ１１が傾斜しており、循環搬送路Ｖ３の底面も循環スクリュ１１の搬送方向下流側ほど高くなるように傾斜している。また、循環搬送路Ｖ３の天井部は循環スクリュ１１の搬送方向の上流側から下流側にかけて同じ高さとなっている。
そして、遮蔽部材１９と補助遮蔽部材１９０との隙間によって形成される流通路２０の幅が、循環搬送路Ｖ３内の現像剤の循環スクリュ１１による搬送方向下流側ほど狭くなっている。
【００８１】
循環スクリュ１１の回転によって、現像剤は長手方向に搬送されると同時に、回転方向に沿って跳ね上げられる。図１６には循環スクリュ１１の現像剤跳ね上げ方向を白抜きの矢印Ｓ８で示している。図１６に示すように、実施例９の現像装置４は、循環スクリュ１１の現像剤跳ね上げ方向とは逆側に流通路２０を設けている。さらに、遮蔽部材１９を流通路２０側が低くなるように傾斜させている。
【００８２】
実施例９のように、圧抜きフィルタ１８と遮蔽部材１９との高さを一定、もしくは循環スクリュ１１や循環搬送路Ｖ３の傾斜よりも小さい傾斜となるように設置する場合、搬送方向下流側での循環スクリュ１１と圧抜きフィルタ１８との高さ方向の距離が近くなる。この高さ方向の距離が近くなると、循環スクリュ１１に跳ね上げられた現像剤が流通路２０を通過して圧抜きフィルタ１８に接触し易くなり、圧抜きフィルタ１８に目詰まりが発生し、現像装置４からのトナー飛散が発生し易くなる。
【００８３】
図１６では、循環搬送路Ｖ３の搬送方向上流側端部近傍の流通路２０を上流側流通路２０ａとし、循環搬送路Ｖ３の搬送方向下流側端部近傍の流通路２０を下流側流通路２０ｂとしている。
上述したように実施例９の現像装置４では、循環搬送路Ｖ３に設けられた流通路２０の幅が、循環搬送路Ｖ３内の現像剤の循環スクリュ１１による搬送方向下流側ほど狭くなっている。このため、図１６に示すように、下流側流通路２０ｂは上流側流通路２０ａよりも狭くなっている。
このように流通路２０の幅を下流側ほど狭く設定することで、実施例８と同様に、搬送方向下流側での循環スクリュ１１と圧抜きフィルタ１８との高さ方向の距離が近くなる構成であっても、圧抜きフィルタ１８の寿命を延ばすことができる。
【００８４】
また、実施例９の現像装置４は、遮蔽部材１９を流通路２０側が低くなるように傾斜させている。遮蔽部材１９が水平の場合や流通路２０側が高くなるように傾斜している場合は、流通路２０を通過して、遮蔽部材１９の上方に到達した現像剤が遮蔽部材１９の遮蔽部材上面１９ａに堆積してしまう。遮蔽部材１９の上面に現像剤が堆積すると、堆積した現像剤が圧抜きフィルタ１８に接触するおそれがあり、目詰りが生じ易くなる。一方、図６に示す現像装置４のように、遮蔽部材１９を流通路２０側が低くなるように傾斜させることで、遮蔽部材１９の上方に到達した現像剤は、傾斜した遮蔽部材１９の上面を滑り落ち、流通路２０を通じて循環スクリュ１１によって搬送される領域に戻る。これにより、遮蔽部材１９の上面に現像剤が堆積することに起因して圧抜きフィルタ１８に目詰りが生じることを抑制できる。
【００８５】
また、実施例９の現像装置４では循環スクリュ１１に直交する断面における遮蔽部材１９の水平面に対する傾斜角は、使用する現像剤の安息角より大きくなるように設定することが望ましい。
これにより、遮蔽部材１９における流通路２０側の端部が現像剤の剤面よりも高い位置にあれば、遮蔽部材１９の根元側（図１６中の右側）も現像剤の剤面よりも高い位置に設定することができる。
【００８６】
遮蔽部材１９の傾斜角が現像剤の安息角よりも小さいと、遮蔽部材１９における流通路２０側の端部が現像剤の剤面よりも高い位置にあっても、遮蔽部材１９の根元側（図１６中の右側）で遮蔽部材１９の下面に現像剤が接触するおそれがある。遮蔽部材１９の下面に現像剤が接触すると、接触した位置よりも遮蔽部材１９の根元側（図１６中の右側）と、流通路２０側との間を現像剤が遮蔽してしまう。この結果、循環搬送路Ｖ３内における遮蔽部材１９の下面に現像剤が接触した位置よりも遮蔽部材１９の根元側（図１６中の右側）の空気が流通路２０に向かうことが出来ず、この空間における空気の圧力が上昇したときに圧抜き効果が得られなくなる。
【００８７】
一方、実施例９の現像装置４のように、遮蔽部材１９の傾斜角を現像剤の安息角よりも大きく設定することで、遮蔽部材１９の根元側（図１６中の右側）で遮蔽部材１９の下面に現像剤が接触することを防止できる。これにより、循環搬送路Ｖ３内における遮蔽部材１９の根元側（図１６中の右側）の空間の圧抜き効果が得られなくなることを防止できる。
【００８８】
また、遮蔽部材１９の傾斜角が現像剤の安息角よりも小さいと、流通路２０を通過してしまった現像剤が遮蔽部材１９の上面に載ったときにこの上面の傾斜に沿って滑り落ちずに、そのまま堆積してしまうおそれがある。これに対して、遮蔽部材１９の傾斜角が現像剤の安息角よりも大きくすると、現像剤が流通路２０を通過して現像剤が遮蔽部材１９の上面に載ったとしても、現像剤はこの上面の傾斜に沿って滑り落ちて、循環搬送路Ｖ３内に戻される。このため、現像剤が遮蔽部材１９上に堆積することを抑制し、流通路２０から外部への空気の流路が安定的に確保されることが可能になる。
【００８９】
図１７〜図２０は、図１６に示す実施例９の現像装置４の現像ケーシング２２のうち、循環搬送路Ｖ３の天井部を形成する攪拌搬送路上部ケーシング２２０の斜視説明図である。図１７は、攪拌搬送路上部ケーシング２２０をケーシング上面２２０ａ側から見た斜視図である。図１８は、図１７中のＺ軸を中心に９０［°］回転させた状態であり、攪拌搬送路上部ケーシング２２０をケーシング上面２２０ａ側から見た斜視図である。図１９は、図１７中のＹ軸を中心に９０［°］回転させた状態であり、攪拌搬送路上部ケーシング２２０を下から見た斜視図である。図２０は、図１８中のＹ軸を中心に９０［°］回転させた状態であり、攪拌搬送路上部ケーシング２２０を下から見た斜視図である。
【００９０】
図１６に示すように、遮蔽部材１９の表面のうち、上方の面を遮蔽部材上面１９ａとし、下方の面を遮蔽部材下面１９ｂとし、自由端の端面を遮蔽部材端面１９ｃとする。また、補助遮蔽部材１９０の表面のうち、上方の面を補助遮蔽部材上面１９０ａとし、下方の面を補助遮蔽部材下面１９０ｂとする。
【００９１】
図１８及び図２０に示すように、遮蔽部材１９の自由端には段部１９ｄが形成されている。流通路２０は、段部１９ｄを挟んで循環スクリュ１１の搬送方向の上流側が上流側流通路２０ａであり、段部１９ｄを挟んで循環スクリュ１１の搬送方向の下流側が下流側流通路２０ｂである。また、図１８及び図２０に示すように、上流側流通路２０ａの長手方向中央部、及び、下流側流通路２０ｂの長手方向中央部には、それぞれ遮蔽部材１９の自由端と補助遮蔽部材１９０の自由端とを繋ぐ補強リブ１９５が設けられている。補強リブ１９５を設けることで、遮蔽部材１９の自由端にぶれが生じることを抑制できる。
【００９２】
以上に説明したものは一例であり、本発明は、次の態様毎に特有の効果を奏する。
（態様Ａ）
現像剤を表面上に担持し、表面移動して感光体１等の潜像担持体と対向する現像領域α等の現像領域で潜像担持体の表面上の潜像に現像剤を供給する現像ローラ８等の現像剤担持体と、現像剤担持体に供給する現像剤を収容する供給搬送路Ｖ１や循環搬送路Ｖ３等の現像剤収容部内の現像剤に、回転することで搬送力を付与する供給スクリュ９や循環スクリュ１１等の現像剤搬送部材と、現像剤収容部内の空気等の気体を装置外部に排出し、現像剤収容部内の気圧が上昇することを抑制する圧抜き開口部２１等の圧抜き開口部と、圧抜き開口部に設けられ、圧抜き開口部から現像剤が排出されることを抑制する圧抜きフィルタ１８等のフィルタ部材と、を備える現像装置４等の現像装置において、現像剤搬送部材が回転することによって跳ね上げられた現像剤がフィルタ部材に向かう移動経路を塞ぐ遮蔽部材１９等の現像剤移動経路遮蔽部材を備える。
これによれば、上記実施形態について説明したように、現像剤搬送部材の回転によって跳ね上げられた現像剤がフィルタ部材に付着することを抑制し、短い期間でフィルタ部材に目詰りが生じることを抑制できる。このため、安価な手段にて、トナー飛散を防止した高耐久な現像装置を実現できる。
（態様Ｂ）
態様Ａにおいて、遮蔽部材１９等の現像剤移動経路遮蔽部材は、供給搬送路Ｖ１や循環搬送路Ｖ３等の現像剤収容部内の空気等の気体が圧抜きフィルタ１８等のフィルタ部材を設けた圧抜き開口部２１等の圧抜き開口部に向かう流通路２０等の迂回路を形成する。
これによれば、上記実施形態について説明したように、現像剤移動経路遮蔽部材が形成する迂回路によって、現像剤収容部内の気体を圧抜き開口部から外部に排出することができる。このため、現像剤収容部内の気圧が上昇することを抑制してトナー飛散の発生を抑制するという圧抜き開口部の機能を維持できる。
（態様Ｃ）
態様Ｂにおいて、供給スクリュ９や循環スクリュ１１等の現像剤搬送部材の上方に圧抜き開口部２１等の圧抜き開口部を備え、圧抜き開口部と現像剤搬送部材との間に遮蔽部材１９等の現像剤移動経路遮蔽部材を備え、現像剤搬送部材の回転軸を挟んで現像剤搬送部材が現像剤を持ち上げる側とは反対側の上方に、流通路２０等の迂回路を形成する。
これによれば、上記実施形態について説明したように、現像剤が圧抜きフィルタ１８等のフィルタ部材に触れることを効果的に防止できる。
（態様Ｄ）
態様Ｃにおいて、遮蔽部材１９等の現像剤移動経路遮蔽部材は、流通路２０等の迂回路側が低くなるように傾斜している。
これによれば、上記実施形態について説明したように、現像剤移動経路遮蔽部材の上面に現像剤が堆積することに起因して圧抜きフィルタ１８等のフィルタ部材に目詰りが生じることを抑制できる。
（態様Ｅ）
態様Ｄにおいて、遮蔽部材１９等の現像剤移動経路遮蔽部材の水平面に対する傾斜角を現像剤の安息角以上に設定する。
これによれば、上記実施形態について説明したように、循環搬送路Ｖ３等の現像剤移動経路遮蔽部材を設けた現像剤収容部内における現像剤移動経路遮蔽部材の根元側の空間の圧抜き効果が得られなくなることを防止できる。
（態様Ｆ）
態様Ｂ乃至Ｅの何れかの態様において、現像剤収容部を、内部の現像剤を現像ローラ８等の現像剤担持体の表面に供給しつつ、長手方向等の現像剤担持体の幅方向に沿って搬送する供給搬送路Ｖ１等の供給搬送路と、現像剤担持体に担持され、現像領域α等の現像領域を通過した現像剤を現像剤担持体表面から回収しつつ、内部の現像剤を現像剤担持体の幅方向に沿って搬送する回収搬送路Ｖ２等の回収搬送路と、回収搬送路の搬送方向下流側端部に到達した現像剤を、供給搬送路の搬送方向上流側端部まで搬送する循環搬送路Ｖ３等の循環搬送路とに仕切る隔壁１５等の仕切り部材を備え、回収搬送路は供給搬送路よりも低い位置に形成され、回収搬送路の搬送方向下流側端部の位置から供給搬送路の搬送方向上流側端部の位置まで現像剤を搬送するように、循環搬送路は搬送方向下流側ほど高くなるように傾斜した形状であり、循環搬送路の上部に圧抜きフィルタ１８等のフィルタ部材が配置された圧抜き開口部２１等の圧抜き開口部を備え、流通路２０等の迂回路は、循環搬送路における搬送方向上流側よりも搬送方向下流側の方が狭くなっている。
これによれば、上記実施形態について説明したように、循環搬送路内の搬送方向下流側での循環スクリュ等の現像剤搬送部材とフィルタ部材との高さ方向の距離が近くなる構成であっても、フィルタ部材の寿命を延ばすことができる。
（態様Ｇ）
態様Ａ乃至Ｆの何れかの態様において、遮蔽部材１９等の現像剤移動経路遮蔽部材は、供給搬送路Ｖ１や循環搬送路Ｖ３等の現像剤収容部内の現像剤の剤面よりも上方に配置されている。
これによれば、上記実施形態について説明したように、流通路２０等の迂回路が現像剤で埋まることなく、圧抜きフィルタ１８等のフィルタ部材が配置された圧抜き開口部２１等の圧抜き開口部での圧抜き効果を十分に機能させることができる。
（態様Ｈ）
態様Ａ乃至Ｇの何れかにおいて、現像剤収容部を、内部の現像剤を現像ローラ８等の現像剤担持体の表面に供給しつつ、長手方向等の現像剤担持体の幅方向に沿って搬送する供給搬送路Ｖ１等の供給搬送路と、現像剤担持体に担持され、現像領域α等の現像領域を通過した現像剤を現像剤担持体表面から回収しつつ、内部の現像剤を現像剤担持体の幅方向に沿って搬送する回収搬送路Ｖ２等の回収搬送路と、回収搬送路の搬送方向下流側端部に到達した現像剤を、供給搬送路の搬送方向上流側端部まで搬送する循環搬送路Ｖ３等の循環搬送路とに仕切る隔壁１５等の仕切り部材を備え、仕切り部材の回収搬送路と循環搬送路とを仕切る部分（回収循環隔壁１５ｂ等）の回収搬送路と循環搬送路とに存在する現像剤の剤面よりも高い位置に、回収搬送路と循環搬送路とを連通し、空気等の気体が通過することができる気体通過開口部２３等の気体通過開口部を備え、循環搬送路における気体通過開口部の上方に、圧抜きフィルタ１８等のフィルタ部材が配置された圧抜き開口部２１等の圧抜き開口部を備え、遮蔽部材等の現像剤移動経路遮蔽部材を気体通過開口部とフィルタ部材との間に配置する。
これによれば、上記実施形態について説明したように、気体通過開口部から循環搬送路に流入した気体とこの気体の気流に乗った現像剤がフィルタ部材に接触することを抑制できる。よって、現像装置内の圧力バランスを維持しつつ、フィルタ部材の寿命を延ばすことができる。
（態様Ｉ）
態様Ｈにおいて、遮蔽部材１９等の現像剤移動経路遮蔽部材を、仕切り部材の気体通過開口部２３等の気体通過開口部が設けられた部分（回収循環隔壁１５ｂ等）の壁面から突き出すように設ける。
これによれば、上記実施形態について説明したように、気体通過開口部から流入した気体及び現像剤が現像剤移動経路遮蔽部材に当たらずに、直接に圧抜きフィルタ１８等のフィルタ部材に向かうことを防止でき、フィルタ部材の目詰まりを抑えることができる。
（態様Ｊ）
態様Ｉにおいて、遮蔽部材１９等の現像剤移動経路遮蔽部材は、循環搬送路Ｖ３等の循環搬送路内における現像剤搬送方向下流側ほど突き出し量が減少する形状である。
これによれば、上記実施形態について説明したように、気体通過開口部から流入した気体及び現像剤が圧抜きフィルタ１８等のフィルタ部材に触れることを抑制すると共に、フィルタ部材を備えた圧抜き開口部の圧力を抜く効果が下がることを抑制できる。
（態様Ｋ）
態様Ｈ乃至Ｊの何れかの態様において、隔壁１５等の仕切り部材の気体通過開口部２３等の気体通過開口部を設けた部分の循環搬送路Ｖ３等の循環搬送路側の壁面に、循環搬送路側の現像剤が気体通過開口部に進入することを防止する現像剤進入防止部材２６等の現像剤進入防止部材を備える。
これによれば、上記実施形態について説明したように、現像剤進入防止部材によって、循環搬送路内で循環スクリュ１１等の現像剤搬送部材の回転によって跳ね上げられた現像剤が、気体通過開口部を通じて回収搬送路へと移動することを防止できる。よって、循環搬送路内の現像剤が回収搬送路内に移動することに起因する画像濃度ムラの発生を防止することができる。
（態様Ｌ）
態様Ｋにおいて、現像剤進入防止部材２６等の現像剤進入防止部材は、気体通過開口部２３等の気体通過開口部の循環搬送路Ｖ３等の循環搬送路側を覆い、上方に開口を備えた形状である。
これによれば、上記実施形態について説明したように、循環スクリュ１１等の現像剤搬送部材の回転によって跳ね上げられた現像剤と、軸方向に移動する現像剤とが気体通過開口部に到達することを防止することができる。
（態様Ｍ）
態様Ｋにおいて、循環搬送路Ｖ３等の循環搬送路内の現像剤に搬送力を付与する現像剤搬送部材として循環スクリュ１１等の循環搬送部材を備え、現像剤進入防止部材２６等の現像剤進入防止部材は、循環搬送部材を覆う形状である。
これによれば、上記実施形態について説明したように、現像剤進入防止部材によって、循環搬送部材を覆うことで、循環搬送部材によって跳ね上げられた現像剤が気体通過開口部を通って回収搬送路に移動することを防止できる。
（態様Ｎ）
態様Ａ乃至Ｍにおいて、遮蔽部材１９等の現像剤移動経路遮蔽部材の下面に気体を拡散する突起部材２４や板部材２５等の拡散部材を設ける。
これによれば、上記実施形態について説明したように、気体通過開口部２３等の気体通過開口部から勢いよく流入した空気等の気体が現像剤移動経路遮蔽部材の下面に衝突したときに、勢いを弱めることができる。流入する気体の勢いを弱めることで、現像剤が圧抜きフィルタ１８等のフィルタ部材に触れるのを抑制でき、フィルタ部材の目詰まりを抑えることができる。また、気体通過開口部を備えない構成であっても、現像剤移動経路遮蔽部材の下面に拡散部材を設け、衝突する気体の勢いを弱める構成であれば、現像剤搬送部材の回転によって跳ね上げられた現像剤の勢いも弱めることができる。これにより、跳ね上げられた現像剤がフィルタ部材に触れるのを抑制でき、フィルタ部材の目詰まりを抑えることができる。
（態様Ｏ）
感光体１等の潜像担持体、潜像担持体を帯電する帯電器２等の帯電手段、及び、潜像担持体をクリーニングする清掃装置６等のクリーニング手段より選ばれる少なくとも一つと、該潜像担持体上に形成された静電潜像を現像してトナー像化するための現像手段とが一体的に支持され、プリンタ５００等の画像形成装置に対して着脱自在なプロセスカートリッジにおいて、現像手段として、態様Ａ乃至Ｎの何れかの態様の現像装置４等の現像装置を用いる。
これによれば、上記実施形態について説明したように、プロセスカートリッジが備える現像装置として安価な手段にて、トナー飛散を防止した高耐久な現像装置を実現することができる。
（態様Ｐ）
感光体１等の潜像担持体と、潜像担持体に潜像を形成する走査光学装置３等の潜像形成手段と、潜像担持体に形成された潜像を現像してトナー像を形成する現像手段と、潜像担持体に担持されたトナー像を被転写体に転写する転写器５及び二次転写装置１２２等の転写手段と、を備えたプリンタ５００等の画像形成装置において、現像手段として、態様Ａ乃至Ｎの何れかの態様の現像装置４等の現像装置を用いる。
これによれば、上記実施形態について説明したように、トナー飛散を抑えた高耐久な現像装置を備えた画像形成装置であるため、長期に渡って安定した画像形成を行うことができる。
（態様Ｑ）
態様Ｐにおいて、現像装置４等の現像装置を複数備える。
これによれば、上記実施形態について説明したように、トナー飛散を抑えた高耐久な現像装置を複数備えた画像形成装置であるため、長期に渡って安定したカラー画像の画像形成を行うことができる。
（態様Ｒ）
感光体１等の潜像担持体、潜像担持体を帯電する帯電器２等の帯電手段、及び、潜像担持体をクリーニングする清掃装置６等のクリーニング手段により選ばれる少なくとも一つと、潜像担持体に形成した潜像を現像してトナー像を形成する現像装置４等の現像手段とが一体に支持され、プリンタ５００等の画像形成装置に対して着脱自在なプロセスカートリッジと、潜像担持体に担持されたトナー像を転写紙Ｐ等の被転写体に転写する転写器５及び二次転写装置１２２等の転写手段と、を備えた画像形成装置において、プロセスカートリッジとして、態様Ｏのプロセスカートリッジを複数備える。
これによれば、上記実施形態について説明したように、トナー飛散を抑えた高耐久な現像装置を有するプロセスカートリッジを複数備えた画像形成装置であるため、長期に渡って安定したカラー画像の画像形成を行うことができる。
【符号の説明】
【００９３】
１  感光体
２  帯電器
３  走査光学装置
４  現像装置
５  転写器
６  清掃装置
７  中間転写ベルト
８  現像ローラ
９  供給スクリュ
１０  回収スクリュ
１１  循環スクリュ
１２  規制ブレード
１３  循環回転軸
１３Ａ  循環回転軸上流端部
１３Ｂ  循環回転軸下流端部
１５  隔壁
１５ａ  供給回収隔壁
１５ｂ  回収循環隔壁
１５ｃ  循環供給隔壁
１６  供給回転軸
１７  回収回転軸
１８  圧抜きフィルタ
１９  遮蔽部材
１９ａ  遮蔽部材上面
１９ｂ  遮蔽部材下面
１９ｃ  遮蔽部材端面
１９ｄ  段部
２０  流通路
２０ａ  上流側流通路
２０ｂ  下流側流通路
２１  圧抜き開口部
２２  現像ケーシング
２３  気体通過開口部
２４  突起部材
２５  板部材
２６  現像剤進入防止部材
４９  レジストローラ
５７  排紙トレイ
１００  トナー像形成ユニット
１１４  ベルト駆動ローラ
１１６  二次転写対向ローラ
１２２  二次転写装置
１２３  転写搬送支持ローラ
１２４  転写搬送ベルト
１２５  定着装置
１２６  加熱ローラ
１２７  加圧ローラ
１４２  給紙ローラ
１４４  給紙カセット
１４５  分離ローラ
１４６  給紙路
１４７  搬送ローラ
１５６  排出ローラ対
１９０  補助遮蔽部材
１９０ａ  補助遮蔽部材上面
１９０ｂ  補助遮蔽部材下面
１９５  補強リブ
２２０  攪拌搬送路上部ケーシング
２２０ａ  ケーシング上面
５００  プリンタ
Ｆ  剤面
Ｇ  現像剤
Ｎ１  回収下流端開口部
Ｎ２  循環下流端開口部
Ｎ３  供給下流端開口部
Ｎ４  トナー補給口
Ｐ  転写紙
Ｖ１  供給搬送路
Ｖ２  回収搬送路
Ｖ３  循環搬送路
α  現像領域
【先行技術文献】
【特許文献】
【００９４】
【特許文献１】特開平０５−３３３６９１号公報
【特許文献２】特開平１１−１７４８１０号公報
【特許文献３】特開２００９−２２３０７５号公報
【特許文献４】特開２０１１−１７４９８３号公報
【特許文献５】特開２００８−２３３８３４号公報
【図１】
2014178661.tif 000003
【図２】
2014178661.tif 000004
【図３】
2014178661.tif 000005
【図４】
2014178661.tif 000006
【図５】
2014178661.tif 000007
【図６】
2014178661.tif 000008
【図７】
2014178661.tif 000009
【図８】
2014178661.tif 000010
【図９】
2014178661.tif 000011
【図１０】
2014178661.tif 000012
【図１１】
2014178661.tif 000013
【図１２】
2014178661.tif 000014
【図１３】
2014178661.tif 000015
【図１４】
2014178661.tif 000016
【図１５】
2014178661.tif 000017
【図１６】
2014178661.tif 000018
【図１７】
2014178661.tif 000019
【図１８】
2014178661.tif 000020
【図１９】
2014178661.tif 000021
【図２０】
2014178661.tif 000022